(57)【要約】【課題】  解体および移設が可能で、新築時や移設時の施工も容易に行うことができる建物の移設可能土間床構造およびその施工方法を提供する。【解決手段】  地盤１６上にレベル調整モルタル層１を設ける。このレベル調整モルタル層１上に、中空の単位土間床版４を、互いに分離可能に縦横に並べて敷き詰めて床版層２とする。この床版層２の上に各単位土間床版４にわたって土間床仕上げ面層３を設ける。土間床仕上げ面層３は、床版層２に対して剥離可能とする。【選択図】      図１
2009249958.tif 000002
【特許請求の範囲】
【請求項１】
地盤上に設けられたレベル調整モルタル層と、このレベル調整モルタル層上に、中空の単位土間床版を、互いに分離可能に縦横に並べて敷き詰めてなる床版層と、この床版層の上に各単位土間床版にわたって設けられて前記床版層に対して剥離可能な土間床仕上げ面層とを備えることを特徴とする建物の移設可能土間床構造。
【請求項２】
請求項１において、隣り合う各単位土間床版同士を、連結解除可能な連結金物により相互に連結した建物の移設可能土間床構造。
【請求項３】
請求項１または請求項２において、前記単位土間床版は、レベル調整モルタル層上に配置される中空の床版下部ユニットと、この床版下部ユニット上に載置される平板状の床版上部ユニットとでなる建物の移設可能土間床構造。
【請求項４】
請求項３において、前記床版下部ユニットは、底板部と、この底板部の周囲から立ち上がる側板部と、前記底板部の長さ方向に中間から立ち上がる内部リブとを有する建物の移設可能土間床構造。
【請求項５】
請求項３または請求項４において、前記床版下部ユニットの上面に位置決め凸部が設けられ、前記床版上部ユニットの下面に、上記位置決め凸部に嵌まり合う位置決め凹部が設けられた建物の移設可能土間床構造。
【請求項６】
建物の土間床構造の施工方法であって、地盤上にレベル調整モルタル層を設ける過程と、このレベル調整モルタル層上に、中空の単位土間床版を、互いに分離可能に縦横に並べて敷き詰め床版層を設ける過程と、この床版層の上に各単位土間床版にわたって、前記床版層に対して剥離可能な土間床仕上げ面層を設ける過程とを含むことを特徴とする建物の移設可能土間床構造の施工方法。                                                
【発明の詳細な説明】
【技術分野】
【０００１】
この発明は、主に、事務所や店舗等の移築が必要となる建物の移設可能土間床構造およびその施工方法に関する。
【背景技術】
【０００２】
建物のコンクリート土間床は、地盤上にコンクリートを打設して形成するのが一般的である。しかし、このように現場打ちによりコンクリート土間床を構築するのでは、施工に手間がかかるだけでなく、解体が非常に厄介で移設することはできない。
【０００３】
そこで、解体が容易で移設も可能なコンクリート土間床として、地盤上に底板を複数枚隣り合うように敷き、これら底板間から仕切り材を立ち上げ、仕切り材で仕切られた各空間にコンクリートを現場打ちすることにより、複数の単位コンクリート版を形成するようにしたものが提案されている（例えば特許文献１）。
このように、複数の単位コンクリート版で構築されるコンクリート土間床では、解体時に、揚重機を用いることで各単位コンクリート版を互いに分離状態にして解体でき、移設も揚重機を用いて行うことができる。
【０００４】
建物の基礎の例であるが、地盤上の基礎が施工される部分を枠材で囲み、その枠材で囲まれた領域内に予め製作された同一形状の基礎用ブロックを複数配置し、隣り合う基礎用ブロック間および基礎用ブロックと枠材との間にコンクリートを打設してコンクリート基礎を構築するようにしたものも提案されている（例えば特許文献２）。                  このように、予め製作された複数の基礎用ブロックを用いることにより、基礎の施工を容易に行うことができる。
【特許文献１】特開２００６−２６６０７１号公報
【特許文献２】特開平１１−１０７２９３号公報
【発明の開示】
【発明が解決しようとする課題】
【０００５】
特許文献１に開示のコンクリート土間床構造では、上記したように解体および移設が可能であるが、新築時の施工でコンクリートを現場打ちしなければならず、施工性に問題が残る。また、解体した単位コンクリート版も重量が重く、移設が容易でない。
【０００６】
また、特許文献２に開示の基礎構造をコンクリート土間床構造に応用した場合、予め製作された複数のブロックを用いることから新築時の施工が容易となるが、ブロック間にコンクリート打設を行うため、一般的なコンクリート床構造と同様に解体は非常に厄介となり、移設も不可能である。
【０００７】
この発明の目的は、解体および移設が可能で、新築時や移設時の施工も容易な建物の移設可能土間床構造およびその施工方法を提供することである。
【課題を解決するための手段】
【０００８】
この発明の建物の移設可能土間床構造は、地盤上に設けられたレベル調整モルタル層と、このレベル調整モルタル層上に、中空の単位土間床版を、互いに分離可能に縦横に並べて敷き詰めてなる床版層と、この床版層の上に各単位土間床版にわたって設けられて前記床版層に対して剥離可能な土間床仕上げ面層とを備えることを特徴とする。
この構成によると、コンクリートを現場打ちする作業が要らないので、新築時の施工を容易に行うことができる。各単位土間床版は相互に分離可能に並べられ、また中空とされて軽量であるため、解体時には、施工時と逆の手順で行うことにより、単位土間床版を容易に分離でき、解体を容易に行うことができる。また、移設も、新築時の施工と同様の手順で容易に行うことができる。これにより、解体および移設が可能で、新築時や移設時の施工も容易な土間床構造とすることができる。
【０００９】
この発明において、隣り合う各単位土間床版同士を、連結解除可能な連結金物により相互に連結してもよい。このような連結金物を用いた場合、連結およびその連結の解除が容易で、また精度良く土間床を構築することができる。
【００１０】
この発明において、前記単位土間床版は、レベル調整モルタル層上に配置される中空の床版下部ユニットと、この床版下部ユニット上に載置される平板状の床版上部ユニットとでなるものであってもよい。
このように、単位土間床版を上下２つのユニットで構成することにより、より軽量化されて、新築時や移設時の施工での単位土間床版の設置や、解体時の単位土間床版の取り外しを容易に行うことができる。また、床版下部ユニットを残した状態で床版上部ユニットを外すことより、単位土間床版内に配線や配管を行う場合の施工が簡単となる。
【００１１】
この発明において、前記床版下部ユニットは、底板部と、この底板部の周囲から立ち上がる側板部と、前記底板部の長さ方向に中間から立ち上がる内部リブとを有するものとしてもよい。周囲に側板部が立ち上がっていると、隣合う側板同士で床版下部ユニット間の連結が行えて、連結および連結解除の作業がより容易となり、また精度良く単位土間床版を敷き並べることができる。内部リブが設けられていると、床版上部ユニットの支持が多点で分散して行えて、薄くても堅固な床面を構成できる。
【００１２】
この発明において、前記床版下部ユニットの上面に位置決め凸部が設けられ、前記床版上部ユニットの下面に、上記位置決め凸部に嵌まり合う位置決め凹部が設けられたものであってもよい。このように位置決め凸部と位置決め凹部を嵌め合う構成とした場合、床版上部ユニットが床版下部ユニットに対して水平方向にずれるのを防止できる。
【００１３】
この発明の建物の土間床構造の施工方法は、地盤上にレベル調整モルタル層を設ける過程と、このレベル調整モルタル層上に、中空の単位土間床版を、互いに分離可能に縦横に並べて敷き詰め床版層を設ける過程と、この床版層の上に各単位土間床版にわたって、前記床版層に対して剥離可能な土間床仕上げ面層を設ける過程とを含むことを特徴とする。  この施工方法によると、解体および移設が可能で、新築時や移設時の施工も容易に行うことができる。
【発明の効果】
【００１４】
この発明の建物の移設可能土間床構造は、地盤上に設けられたレベル調整モルタル層と、このレベル調整モルタル層上に、中空の単位土間床版を、互いに分離可能に縦横に並べて敷き詰めてなる床版層と、この床版層の上に各単位土間床版にわたって設けられて前記床版層に対して剥離可能な土間床仕上げ面層とを備えるので、解体および移設が可能で、新築時や移設時の施工も容易に行うことができる。
この発明の建物の土間床構造の施工方法は、地盤上にレベル調整モルタル層を設ける過程と、このレベル調整モルタル層上に、中空の単位土間床版を、互いに分離可能に縦横に並べて敷き詰め床版層を設ける過程と、この床版層の上に各単位土間床版にわたって、前記床版層に対して剥離可能な土間床仕上げ面層を設ける過程とを含む方法てあるため、解体および移設が可能で、新築時や移設時の施工も容易に行うことができる。
【発明を実施するための最良の形態】
【００１５】
この発明の一実施形態を図１ないし図４と共に説明する。図１は、この実施形態の土間床構造が適用される建物の部分断面図を示す。コンクリート基礎１２と鋼製基礎１３とでなる基礎１１の上に外壁１４が建て込まれている。鋼製基礎１３の建屋内側の際部には土間地業止め部材１５が設置され、その内側に砕石地業等による地盤１６が、鋼製基礎１３の略上面高さまで水平に整地される。
【００１６】
この実施形態の土間床構造は、前記地盤１６の上に設けられたレベル調整モルタル層１と、このレベル調整モルタル層１の上に設けられた床版層２と、この床版層２の上に設けられた土間床仕上げ面層３とを備える。
【００１７】
レベル調整モルタル層１は、セメントに砂等を混ぜた粉体状ものであり、この上に設けられる床版層２を解体時に簡単に外すことができる。床版層２は、中空とした複数個の単位土間床版４を、互いに分離可能に縦横に並べて敷き詰めたものである。土間床仕上げ面層３は、例えば塩化ビニールシート等のシート類や、タイル等からなる。土間床仕上げ面層３は、床版層２の上に、各単位土間床版４にわたって設けられて、床版層２に対して剥離可能とされる。
【００１８】
床版層２を構成する各単位土間床版４は、図２（Ａ）に斜視図で示す中空の床版下部ユニット５と、図３に斜視図で示すように、床版下部ユニット５上に載置される平板状の床版上部ユニット６とでなる。床版下部ユニット５は、レベル調整モルタル層１（図１）上に配置される。このように、単位土間床版４を上下２つのユニット５，６で構成することにより、より軽量化されて、新築時や移設時の施工での単位土間床版４の設置や、解体時の単位土間床版４の取り外しを容易に行うことができる。これらの各ユニット５，６は、それぞれコンクリート二次製品であるプレキャストコンクリートからなり、人力による取り扱いが容易なように、１個当たりの重量は概ね２０kg以下とされる。各ユニット５，６を、このようにプレキャストコンクリート製とすることにより、大量生産すれば、精度よく均一な製品とすることができる。
【００１９】
床版下部ユニット５は、平面視で正方形の底板部５ａと、この底板部５ａの周囲から立ち上がる側板部５ｂと、前記底板部５ａの長さ方向に中間から立ち上がる内部リブ５ｃとを有する。ここでは、内部リブ５ｃを平面視で十字状の形状としている。この場合、床版下部ユニット５の側板部５ｂおよび内部リブ５ｃは、圧縮力として伝達される床荷重を支持する役割を担い、その床荷重は底板部５ａよりレベル調整モルタル層１を経て地盤２６へと伝達される。底板部５ａはレベル調整モルタル層１の上に置かれて、荷重を分散させる役割を担うので、広い面を有することが望ましい。
床版上部ユニット６は、平面視で正方形の平板状とされる。図４（Ａ）には、床版上部ユニット６を裏返して見せた斜視図を示す。なお、床版上部ユニット６は、複数（例えば２個または４個）の床版下部ユニット５にわたって載せられるものであってもよい。また、床版下部ユニット５や床版上部ユニット６の平面形状は正方形に限らず、長方形であってもよい。
【００２０】
前記床版下部ユニット５の上面には位置決め凸部５ｄが設けられている。ここでは、図２（Ａ）の一部を拡大して示す図２（Ｂ）のように、床版下部ユニット５の側板部５ｂの４隅部上面にそれぞれ位置決め凸部５ｄが設けられている。また、前記床版上部ユニット６の下面には、床版下部ユニット５の位置決め凸部５ｄに嵌まり合う位置決め凹部６ａが設けられている。ここでは、図４（Ａ）の一部を拡大して示す図４（Ｂ）のように、前記床版下部ユニット５における側板部５ｂの４隅部上面に対面する床板上部ユニット６の下面の４隅部にそれぞれ位置決め凹部６ａが設けられている。
このように、床版下部ユニット５の上面に位置決め凸部５ｄを設け、床版上部ユニット６の下面に前記位置決め凸部５ｄに嵌まり合う位置決め凹部６ａを設けることにより、床版上部ユニット６が床版下部ユニット５に対して水平方向にずれるのを防止できる。なお、これとは逆に、床版下部ユニット５の上面に位置決め凹部を設け、床版上部ユニット６の下面に位置決め凸部を設けてもよい。
【００２１】
また、隣り合う各単位土間床版４同士は、図２（Ａ）のように、連結解除可能な連結金物７により相互に連結される。ここでは、連結金物７は、隣り合う床版下部ユニット５の両側板部５ｂの上面部に跨がって挟み込み状態に係合する溝形断面形状金属板とされている。連結金物７は、例えば、鉄板の折り曲げ加工品とされる。床版上部ユニット６の下面には、この床版上部ユニット５を床版下部ユニット５の上に載せたとき、前記連結金物７に対面する側部に、図４（Ａ）の一部を拡大して示す図４（Ｃ）のように、連結金物７を控える凹部６ｂが設けられている。
このように、連結金具７で隣り合う各単位土間床版４同士を連結することにより、精度よく土間床を構築することができる。また、解体時には、隣り合う各単位土間床版４を容易に分離できる。なお、各単位土間床版４同士の連結には、前記連結金具７に代えて、ボルトを用いてもよい。
【００２２】
この土間床構造の施工では、先ず、地盤１６上にレベル調整モルタル層１を設け、次にこのレベル調整モルタル層１上に、中空の単位土間床版４を、互いに分離可能に縦横に並べて敷き詰めて床版層２とする。次に、この床版層２の上に各単位土間床版４にわたって、床版層２に対して剥離可能な土間床仕上げ面層３を設ける。
【００２３】
この構成の建物の土間床構造によると、コンクリートを現場打ちする作業が要らないので、新築時の施工を容易に行うことができる。各単位土間床版４は中空で軽く、また分離可能に連結されているため、解体時には、施工時と逆の手順で行うことにより、単位土間床版４を容易に分離できる。各単位土間床版４の床版下部ユニット５と床版上部ユニット６も容易に分離できるので、解体をより容易に行うことができる。また、移設も、新築時の施工と同様の手順で容易に行うことができる。
また、土間配管を行う場合は、床版下部ユニット５における底板部５ａに現場で開口を設けることで配管を立ち上げ、横引き配管がある場合は、床版下部ユニット５における側板部５ｂや内部リブ５ｃを現場で切り欠くことにより容易に行うことができる。
【００２４】
なお、上記した実施形態では、中空の単位土間床版４が、中空の床版下部ユニット５とその上に載置される平板状の床版上部ユニット６とでなる場合を例示したが、全体が一体の単位土間床版であってもよい。
また、上記した実施形態では、単位土間床版４の床版下部ユニット５が、底板部５ａと側板部５ｂと内部リブ５ｃとでなる場合を例示したが、これに限らず、図５のように底板部５ａと内部リブ５ｃとからなる床版下部ユニット５Ａであってもよい。さらには、図６のように底板部５Ｂａの四隅部から、床版上部ユニット６を支える柱状のボス部５Ｂｂを突出させた床版下部ユニット５Ｂとしてもよい。ボス部５Ｂｂは、底板部５ａの上面における中央等の内部に設けても良い。
【図面の簡単な説明】
【００２５】
【図１】この発明の一実施形態にかかる土間床構造を適用した建物の部分断面図である。
【図２】（Ａ）は同土間床構造における単位土間床版の構成部材である床版下部ユニットの斜視図、（Ｂ）は同床版下部ユニットの部分拡大斜視図である。
【図３】同土間床構造における床版層の斜視図である。
【図４】（Ａ）は単位土間床版の構成部材である床版上部ユニットを裏返して見せた斜視図、（Ｂ）は（Ａ）の部分拡大図、（Ｃ）は（Ａ）の他の部分拡大図である。
【図５】単位土間床版の他の構成例を示す分解斜視図である。
【図６】単位土間床版のさらに他の構成例を示す分解斜視図である。
【符号の説明】
【００２６】
１…レベル調整モルタル層
２…床版層
３…土間床仕上げ面層
４…単位土間床版
５，５Ａ，５Ｂ…床版下部ユニット
５ａ…底板部
５ｂ…側板部
５ｃ…内部リブ
５ｄ…位置決め凸部
６…床版上部ユニット
６ａ…位置決め凹部
７…連結金物
１６…地盤
【図１】
2009249958.tif 000003
【図２】
2009249958.tif 000004
【図３】
2009249958.tif 000005
【図４】
2009249958.tif 000006
【図５】
2009249958.tif 000007
【図６】
2009249958.tif 000008